(57)【要約】【課題】カメラ目線に近い自分撮りを良好に行えるようにする。【解決手段】この情報処理装置は、異なる位置から撮影された人物の顔を含む２つの画像の、一方の前記画像における目の部分の画像に基づいて、他方の前記画像における目の部分の画像を変えた目線補正画像を生成する制御部を具備する。制御部は、２つの画像のうち、相対的に下の位置から撮影された一方の画像の目の部分画像を、相対的に上の位置から撮影された他方の画像の目の部分画像と置き換えて目線補正画像を生成する。【選択図】図１
2016019092.tif 000002
【特許請求の範囲】
【請求項１】
異なる位置から撮影された人物の顔を含む２つの画像の、一方の前記画像における目の部分の画像に基づいて、他方の前記画像における目の部分の画像を変えた目線補正画像を生成する制御部を
具備する情報処理装置。
【請求項２】
請求項１に記載の情報処理装置であって、
前記制御部は、前記被写体である人物の顔の縦方向において異なる位置から第１の撮像部および第２の撮像部によって撮影された前記人物の顔を含む２つの画像を取得するように構成された
情報処理装置。
【請求項３】
請求項２に記載の情報処理装置であって、
前記制御部は、前記取得した２つの画像のうち、相対的に下の位置から撮影された一方の前記画像の目の部分画像を、前記相対的に上の位置から撮影された他方の画像の目の部分画像と置き換えた前記目線補正画像を生成するように構成された
情報処理装置。
【請求項４】
請求項３に記載の情報処理装置であって、
前記第１の撮像部は、前記被写体である人物の顔の縦方向において上側の撮像部であり、前記第２の撮像部は、前記被写体である人物の顔の縦方向において下側の撮像部であり、前記第１の撮像部は撮影画像の画質が前記第２の撮像部よりも高い
情報処理装置。
【請求項５】
請求項３に記載の情報処理装置であって、
前記制御部は、前記取得した２つの画像の画調を合せるように、少なくとも一方の画像に対して信号処理を行わせるように構成された
情報処理装置。
【請求項６】
請求項３に記載の情報処理装置であって、
前記制御部は、前記目線補正画像と、前記取得した２つの画像のうち少なくともいずれか一方を表示部に同時に表示させるように構成された
情報処理装置。
【請求項７】
請求項３に記載の情報処理装置であって、
前記制御部は、前記取得した２つの画像の画調を合せるように、前記第１の撮像部および前記第２の撮像部の撮影パラメータを整合させるように構成された
情報処理装置。
【請求項８】
請求項２に記載の情報処理装置であって、
前記第１の撮像部が、前記情報処理装置に内蔵され、
前記第２の撮像部が、前記情報処理装置に着脱自在に取れ付けられる別体の撮像部である
情報処理装置。
【請求項９】
請求項１に記載の情報処理装置であって、
前記制御部は、前記生成された目線補正画像に対して編集を行うように構成された
情報処理装置。
【請求項１０】
異なる位置から人物の顔を撮影する撮像ユニットと、
前記撮像ユニットによって撮影された前記人物の顔を含む２つの画像の、一方の前記画像における目の部分の画像に基づいて、他方の前記画像における目の部分の画像を変えた目線補正画像を生成する制御部と
を具備する情報処理装置。
【請求項１１】
制御部が、
異なる位置から撮影された人物の顔を含む２つの画像の、一方の前記画像における目の部分の画像に基づいて、他方の前記画像における目の部分の画像を変えた目線補正画像を生成する
情報処理方法。
【請求項１２】
異なる位置から撮影された人物の顔を含む２つの画像の、一方の前記画像における目の部分の画像に基づいて、他方の前記画像における目の部分の画像を変えた目線補正画像を生成する制御部を
具備する情報処理システム。
【請求項１３】
異なる位置から撮影された人物の顔を含む２つの画像の、一方の前記画像における目の部分の画像に基づいて、他方の前記画像における目の部分の画像を変えた目線補正画像を生成する制御部として
コンピュータを機能させるプログラム。
【発明の詳細な説明】
【技術分野】
【０００１】
本技術は、カメラによって撮影されたユーザの顔画像を処理する機能を有する情報処理装置、情報処理方法、情報処理システムおよびプログラムに関する。
【背景技術】
【０００２】
携帯電話、スマートフォンなどの携帯端末の楽しみ方の１つとして自分撮りがある。すなわち、携帯端末の多くにはカメラが搭載され、そのカメラによって撮影された画像をディスプレイの画面にリアルタイムで表示させることができる。このためユーザは、ディスプレイの画面で自分の顔を確認しながら、所望の表情の自分の顔を容易に撮影することができる。
【０００３】
通常、カメラはディスプレイの画面の位置から外れた位置に配置される。このため、ディスプレイの画面を見ながら撮影されたユーザの顔の画像は、目線がわずかにずれたものとなる。
【０００４】
被写体であるユーザの目線ずれを補正により修正する技術は既に知られている（例えば、特許文献２参照）。この特許文献２の技術では、カメラ付携帯電話機において、登録済みのカメラ目線画像から算出されたユーザの黒目の中心と、上カメラおよび下カメラによって各々撮影されたユーザの顔画像から顔の表示位置を修正した画像における黒目の中心とのずれ量から目線のずれ量が算出される。この目線ずれ量に基づいて、カメラ目線相当となるように目線を修正した画像が生成される。
【先行技術文献】
【特許文献】
【０００５】
【特許文献１】特開２０１２−１１４５５７号公報（段落［００５１］）
【発明の概要】
【発明が解決しようとする課題】
【０００６】
スマートフォンなどの携帯端末に内蔵されたカメラを使って自分の顔を撮影した場合、目線が同様の向きに同じ程度にずれた顔ばかりが撮影される傾向がある。ユーザによっては、自分のベストショットを撮るために様々な表情での撮影を試みる。しかし、上記のような制約があるため、撮影できるカメラ目線の顔の表情のバリエーションに制限が生じるなど、カメラ目線に近い自分撮りを良好に行うには、まだまだ不十分な点がある。
【０００７】
以上のような事情に鑑み、本技術の目的は、カメラ目線に近い自分撮りを良好に行うことのできる情報処理装置、情報処理方法、情報処理システムおよびプログラムを提供することにある。
【課題を解決するための手段】
【０００８】
上記の課題を解決するために、本技術に係る第１の形態の情報処理装置は、異なる位置から撮影された人物の顔を含む２つの画像の、一方の前記画像における目の部分の画像に基づいて、他方の前記画像における目の部分の画像を変えた目線補正画像を生成する制御部を具備する。
【０００９】
上記の第１の形態の情報処理装置において、前記制御部は、前記被写体である人物の顔の縦方向において異なる位置から第１の撮像部および第２の撮像部によって撮影された前記人物の顔を含む２つの画像を取得するように構成されたものであってよい。
【００１０】
上記の第１の形態の情報処理装置において、前記制御部は、前記取得した２つの画像のうち、相対的に下の位置から撮影された一方の前記画像の目の部分画像を、前記相対的に上の位置から撮影された他方の画像の目の部分画像と置き換えた前記目線補正画像を生成するように構成されたものであってよい。
【００１１】
上記の第１の形態の情報処理装置において、前記第１の撮像部は、前記被写体である人物の顔の縦方向において上側の撮像部であり、前記第２の撮像部は、前記被写体である人物の顔の縦方向において下側の撮像部であり、前記第１の撮像部は撮影画像の画質が前記第２の撮像部よりも高いものであってよい。
【００１２】
上記の第１の形態の情報処理装置において、前記制御部は、前記取得した２つの画像の画調を合せるように、少なくとも一方の画像に対して信号処理を行わせるように構成されたものであってよい。
【００１３】
上記の第１の形態の情報処理装置において、前記制御部は、前記目線補正画像と、前記取得した２つの画像のうち少なくともいずれか一方を表示部に同時に表示させるように構成されたものであってよい。
【００１４】
上記の第１の形態の情報処理装置において、前記第１の撮像部が、前記情報処理装置に内蔵され、前記第２の撮像部が、前記情報処理装置に着脱自在に取れ付けられる別体の撮像部であってよい。
【００１５】
本技術に係る第２の形態の情報処理装置は、異なる位置から人物の顔を撮影する撮像ユニットと、前記撮像ユニットによって撮影された前記人物の顔を含む２つの画像の、一方の前記画像における目の部分の画像に基づいて、他方の前記画像における目の部分の画像を変えた目線補正画像を生成する制御部とを具備する。
【００１６】
本技術に係る第３の形態の情報処理方法は、制御部が、異なる位置から撮影された人物の顔を含む２つの画像の、一方の前記画像における目の部分の画像に基づいて、他方の前記画像における目の部分の画像を変えた目線補正画像を生成する、というものである。
【００１７】
本技術に係る第４の形態の情報処理システムは、異なる位置から撮影された人物の顔を含む２つの画像の、一方の前記画像における目の部分の画像に基づいて、他方の前記画像における目の部分の画像を変えた目線補正画像を生成する制御部を具備する。
【００１８】
本技術に係る第５の形態のプログラムは、異なる位置から撮影された人物の顔を含む２つの画像の、一方の前記画像における目の部分の画像に基づいて、他方の前記画像における目の部分の画像を変えた目線補正画像を生成する制御部としてコンピュータを機能させるプログラムである。
【発明の効果】
【００１９】
以上のように、本技術によれば、カメラ目線に近い自分撮りを良好に行うことができる。
なお、この効果は本技術の効果として限定されるものではなく、本開示中に記載されたいずれかの効果が本技術の効果であってよい。
【図面の簡単な説明】
【００２０】
【図１】本技術に係る第１の実施形態の顔画像処理システムの全体構成を示す図である。
【図２】図１の顔画像処理システムにおいて２機のカメラ装置１０，２０によって各々撮像されたユーザＵの顔画像から目線補正が行われた合成画像が得られるまでの動作を画像ベースで示す図である。
【図３】図１の顔画像処理システムにおいて２機のカメラ装置１０，２０によって各々撮像されたユーザＵの顔画像から目線補正が行われた合成画像が得られるまでの別の動作を画像ベースで示す図である。
【図４】本技術に係る第２の実施形態の顔画像処理システム１Ａの構成を示す斜視図である。
【図５】図４の顔画像処理システム１Ａにおいて携帯端末４０Ａに外付けカメラ１０Ａを装着した状態を示す斜視図である。
【図６】携帯端末４０Ａのハードウェア構成を示すブロック図である。
【図７】外付けカメラ１０Ａの外観を示す斜視図である。
【図８】図７の外付けカメラ１０Ａの撮影状態を示す斜視図である。
【図９】図７の外付けカメラ１０Ａのハードウェア構成を示すブロック図である。
【図１０】図４の顔画像処理システム１Ａを用いてユーザＵが自分の顔を撮影する第１の形態を示す図である。
【図１１】図４の顔画像処理システム１Ａを用いてユーザＵが自分の顔を撮影する第２の形態を示す図である。
【図１２】４機のカメラを用いた変形例を説明する図である。
【発明を実施するための形態】
【００２１】
以下、本技術に係る実施形態を、図面を参照しながら説明する。
＜第１の実施形態＞
【００２２】
［顔画像処理システムの全体構成］
図１は、本技術に係る第１の実施形態の顔画像処理システムの全体構成を示す図である。
この顔画像処理システム１は、２機のカメラ装置１０，２０（撮像ユニット）と、撮影時にユーザＵが目線Ｅを合せる対象である目線対象物３０と、情報処理装置４０とを備える。
【００２３】
目線対象物３０は、より具体的には、２機のカメラ装置１０，２０の少なくとも一方により撮影されたユーザＵの顔の画像を表示するディスプレイの画面などであってよい。但し、目線対象物３０は、必ずしもディスプレイの画面である必要はない。目線対象物３０は、例えばミラーであってもよい。あるいは、ユーザＵの目線Ｅを誘導する何らかのマークを付けた物体であってもよい。なお、本技術の構成において、目線対象物３０は必須ではない。
【００２４】
２機のカメラ装置１０，２０は、ユーザＵの顔の縦方向において異なる２つの位置からユーザＵの顔を撮影可能なように配置される。すなわち、カメラ装置１０は、前記縦方向において相対的に上の位置からユーザＵの顔を撮影し、カメラ装置２０は、前記縦方向において相対的に下の位置からユーザＵの顔を撮影するように配置される。より具体的には、例えば、２機のカメラ装置１０，２０は、目線対象物３０に目線Ｅを合せたユーザＵの顔をユーザＵの目線Ｅの高さ位置から上に若干ずれた高さ位置とユーザＵの目線Ｅの高さ位置から下に若干ずれた高さ位置から撮像することが可能なように各々配置される。ユーザＵの目線Ｅが真正面を向いている場合、ユーザＵの顔を一方のカメラ装置１０によって目線Ｅよりやや高い位置から撮影すると、撮影された画像におけるユーザＵの顔全体は目線Ｅを含めやや下を向いたものとなる。また、ユーザＵの顔を目線Ｅよりやや低い高さから他方のカメラ装置２０で撮影すると、撮像された画像におけるユーザＵの顔全体は目線Ｅを含めやや上を向いたものとなる。
【００２５】
以降の説明において、ユーザＵの顔を目線Ｅよりやや高い位置から撮影するカメラ装置１０を「上カメラ装置１０」、ユーザＵの顔を目線Ｅよりやや低い位置から撮影するカメラ装置２０を「下カメラ装置２０」と本明細書で呼ぶことにする。
【００２６】
各々のカメラ装置１０，２０は、撮影レンズと、撮像素子と、撮像素子の出力を現像する現像処理部と、コントローラとを備える。各々のカメラ装置１０、２０は、いずれも情報処理装置４０の筐体４１（図４参照）に撮像ユニットとして搭載されたカメラであってよい。あるいは、一方のカメラが、情報処理装置４０に内蔵されたカメラで、もう一方が情報処理装置４０に着脱可能なカメラ、あるいは情報処理装置に対して独立して配置されたカメラであってもよい。あるいは各々のカメラ装置１０，２０は、情報処理装置４０に対して各々独立して設置されたカメラであってよい。
各々のカメラ装置１０，２０のより具体的な構成については、第２の実施形態で説明する。
【００２７】
情報処理装置４０は、２機のカメラ装置１０，２０と有線もしくは無線で通信するための通信インタフェースと、ＣＰＵ（Central Processing Unit）と、メモリと、ストレージと、ユーザのための入力部などを備える。情報処理装置４０のＣＰＵは、通信インタフェースを通じて接続された２機のカメラ装置を制御し、２機のカメラ装置１０，２０により各々撮影された２つの画像の合成処理などを行う。
【００２８】
なお、情報処理装置４０は、具体的には、例えば、スマートフォン、パーソナルコンピュータ、あるいは、２機のカメラ装置１０，２０とネットワークを通じて接続されたサーバ装置などであってよい。
情報処理装置４０のより具体的な構成については第２の実施形態で説明する。
【００２９】
［画像合成による目線補正］
上記の顔画像処理システム１において情報処理装置４０では、画像の合成処理の１つとして目線補正を行うことが可能である。
目線補正とは、次のようなものである。
【００３０】
ここでは情報処理装置４０としてスマートフォンを用いた場合の目線補正について説明する。例えば、スマートフォンに内蔵されたカメラでユーザが自分の顔を撮影するとき、ユーザは目線対象物であるディスプレイ画面にリアルタイムに表示された自分の顔を確認しながら、任意のタイミングでシャッターボタンを操作する。すると、その時点で撮影（表示）された画像が静止画として切り出されてストレージなどに保存される。多くのスマートフォンでは、カメラは筐体の前面においてディスプレイの画面が配置された位置から外れた位置、例えばユーザから見てディスプレイの画面よりも上の位置に配置されている。このため、ユーザが自分の顔を撮影すると、撮影された自分の顔画像は、目線の向きを含め顔全体がやや下を向いたものとなる。
【００３１】
一般的には、目線はやや上に向けたほうがポジティブ感があり印象的な目に見えると言われている。ユーザから見てディスプレイの画面よりも下の位置にカメラを配置すれば上向き目線の顔を撮影できるが、この場合、顔全体がやや上を向いた画像となってしまうため、上目線が引き立ちにくい。
【００３２】
なお、ユーザのニーズは様々であり、上目線よりも下目線の顔を撮影したい場合もある。この場合も、ユーザから見てディスプレイの画面よりもやや上の位置に配置されたカメラでユーザの顔を撮影しただけでは、単に顔全体をやや下に向けただけの顔画像となり、下目線が引き立つ顔画像とならない。
【００３３】
上記のように、ユーザが目線対象物３０を見ながら、その目線対象物３０の上や下に配置されたカメラでユーザの顔画像を撮影する環境においては、目線が同様の向きに同じ程度にずれた顔はがりが撮影される傾向があるため、撮影できるカメラ目線の顔の表情のバリエーションに制限が生じるなど、カメラ目線に近い自分撮りを良好に行うには、まだまだ不十分な点がある。
【００３４】
本技術に係る第１の実施形態の顔画像処理システム１は、このような課題を解決しようとするものである。但し、本技術の解決すべき課題はこれに限定されない。
【００３５】
［顔画像処理システムによる目線補正］
次に、本実施形態の顔画像処理システム１による目線補正の動作の概要を説明する。
【００３６】
（１）情報処理装置４０のＣＰＵ（制御部）は、メモリに格納されたアプリケーションプログラムに従って、次のように制御を行う。
【００３７】
図１において、まず、情報処理装置４０のＣＰＵは２機のカメラ装置１０，２０に撮像を開始させる。２機のカメラ装置１０，２０において、上カメラ装置１０はユーザＵの顔を目線Ｅよりやや高い位置から撮影するように設置され、下カメラ装置２０はユーザＵの顔を目線Ｅよりやや低い位置から撮影するように設置されている。
【００３８】
（２）撮影時のユーザＵの目線Ｅは、２機のカメラ装置１０，２０の間に配置された目線対象物３０、例えばディスプレイの画面にあることとする。ディスプレイの画面には、例えば、上カメラ装置１０または下カメラ装置２０によって撮影中の自分の顔画像が動画像として表示される。あるいは、２機のカメラ装置１０，２０各々によって撮影された動画像が同時に表示されてもよい。
【００３９】
（３）ユーザＵは、ディスプレイの画面を通して自分の顔の動画像を確認しつつ、任意のタイミングで静止画像の取り込みの指示を情報処理装置４０の入力部を操作して入力する。
【００４０】
（４）情報処理装置４０のＣＰＵは、ユーザＵからの静止画像の取り込みの指示を受けると、２機のカメラ装置１０，２０に静止画像の取り込みを指示する制御命令を供給する。
【００４１】
（５）２機のカメラ装置は各々、この制御命令に従って、ユーザＵの顔の動画像から静止画を切り出し、情報処理装置４０に伝送する。
【００４２】
図２は、２機のカメラ装置１０，２０によって各々撮像されたユーザＵの顔画像から目線補正が行われた合成画像が得られるまでの動作を画像ベースで示す図である。
【００４３】
１０１は上カメラ装置１０によって撮影された顔画像（静止画）、２０１は下カメラ装置２０によって撮影された顔画像（静止画）である。上カメラ装置１０によって撮影された顔画像１０１におけるユーザＵの顔は目線を含めてやや下向きとなり、下カメラ装置２０によって撮影された顔画像２０１におけるユーザＵの顔は目線を含めてやや上向きとなる。
【００４４】
（６）情報処理装置４０のＣＰＵは、２機のカメラ装置１０，２０より各々撮像された顔画像１０１、２０１から目の部分の画像１０２、２０２を検出する。ここで、顔画像における目の部分の画像１０２、２０２の検出には、例えば、統計的学習手法により、多数の人の顔画像を解析して得られた目の部分の画像の特徴データを用いるなどして行われる。
【００４５】
なお、情報処理装置４０のＣＰＵは、目の部分の画像の検出において、フォーカスずれなどによって、その検出が失敗に終った場合にはエラーをユーザＵに例えば表示、音声などによって通知する。
【００４６】
（７）情報処理装置４０のＣＰＵは、下カメラ装置２０により撮影された顔画像２０１において検出された目の部分の画像２０２を目線補正用の画像２０３として切り出す。ここで目線補正用の画像２０３は、例えば、両目を含む矩形の範囲の画像などである。
【００４７】
（８）情報処理装置４０のＣＰＵは、この目線補正用の画像２０３を、上カメラ装置１０により撮影された顔画像１０１において検出された目の部分の画像１０２と置き換えた目線補正画像を生成する。すなわち、下カメラ装置２０により撮影された顔画像２０１から切り出された目線補正用の画像２０３と、上カメラ装置１０により撮影された顔画像において検出された目の部分の画像１０２以外の画像１０３とを画素毎に加算する。この際、情報処理装置４０のＣＰＵは、画像の繋ぎ目を目立たなくするために、繋ぎ目部分に対してアルファブレンドなどの合成処理を行ってもよい。
【００４８】
（９）以上により、下カメラ装置２０により撮影されたやや上向きのユーザＵの顔画像の目の部分の画像２０３を、上カメラ装置１０により撮影されたやや下向きのユーザＵの顔画像の目の部分の画像１０２と置換した合成画像１０４が得られる。本明細書では、このような画像合成を必要に応じて「上目線補正」と呼ぶ。
【００４９】
また、次のような目線補正も可能である。
図３に示すように、
（７Ａ）情報処理装置４０のＣＰＵは、上カメラ装置１０により撮影された顔画像１０１において検出された目の部分の画像１０２を目線補正用の画像１０５として切り出す。
【００５０】
（８Ａ）情報処理装置４０のＣＰＵは、この目線補正用の画像１０５を、下カメラ装置２０により撮影された顔画像２０１において検出された目の部分の画像２０２と置き換える画像合成を行う。すなわち、上カメラ装置１０により撮影された顔画像１０１から切り出された目線補正用の画像１０５と、下カメラ装置２０により撮影された顔画像において検出された目の部分の画像２０２以外の画像２０５とを画素毎に加算する。
【００５１】
（９Ａ）以上により、上カメラ装置１０により撮影されたやや下向きのユーザＵの顔画像の目の部分の画像１０５を、下カメラ装置２０により撮影されたやや上向きのユーザＵの顔画像の目の部分の画像１０２と置換した合成画像２０６が得られる。本明細書では、このような画像合成を必要に応じて「下目線補正」と呼ぶ。
【００５２】
［２機のカメラ装置１０，２０のスペックについて］
２機のカメラ装置１０，２０の画質の高低を左右するスペックに差がある場合、合成画像においてより広範囲を占める側の画像を撮影するカメラ装置のスペックがより高いことが望ましい。ここで、画質の高低を左右するスペックとしては、例えば、撮像素子のサイズ、レンズ特性などが挙げられる。もちろん、画質の高低を左右するスペックはこれらに限定されない。
【００５３】
例えば、上記の上目線補正では、上カメラ装置１０により撮影された顔画像１０１のうち、目の部分以外の画像１０３が合成において使用される。したがって、上カメラ装置１０は下カメラ装置２０に比較して高スペックであることが全体的な画質を高めるために望ましい。
【００５４】
また、下目線補正では、下カメラ装置２０により撮影された顔画像２０１のうち、目の部分以外の画像２０５が合成において使用されるので、下カメラ装置２０が上カメラ装置１０に比較して高スペックであることが全体的な画質を高めるために望ましい。
【００５５】
［２機のカメラ装置１０，２０により撮影された各顔画像の画調の整合］
２機のカメラ装置１０，２０の撮影時に用いられる例えば露出、ホワイトバランス、色合い、コントラスト、シャープネスなどの画調を左右する撮影パラメータの値が異なる場合、目の領域と他の領域とで画調が不自然に異なったものとなり、合成された画像であることが一目で分かるようなものになりかねない。
【００５６】
本実施形態の顔画像処理システム１では、撮影前に情報処理装置４０のＣＰＵが、２機のカメラ装置１０，２０の撮影パラメータの値を比較し、もし画調の違いをもたらすような差があるのであれば、少なくとも一方のカメラ装置により撮影された画像の画調を、信号処理によって、他方のカメラ装置により撮影された画像の画調に合せるようにする。
【００５７】
例えば、露出の値に違いがあれば、情報処理装置４０のＣＰＵは、例えば、一方のカメラ装置によって撮影された画像の輝度値を、各々のカメラ装置に設定された露出の値の差の分だけ増減させるように信号処理を行う。ホワイトバランス、色合い、コントラスト、シャープネスなどに差がある場合も同様に一方の画像に対する信号処理によって、画調の差を低減させる。
【００５８】
これにより、２機のカメラ装置１０，２０各々によって撮影された画像の画調を可及的に整合させることができ、合成された顔画像において、目の領域と他の領域との画調の不自然な違いを抑えることができる。
【００５９】
上下どちらのカメラ装置により撮影された画像の画調に揃えるかは、例えば、一意に決められていてもよいし、ユーザが適宜指定できてもよい。
【００６０】
なお、信号処理のトータル的な負荷を低減するために、カメラ装置から得られた顔画像の全体に信号処理を行うのではなく、合成する画像に対してのみ信号処理を行うことが望ましい。
【００６１】
また、ここでは、信号処理によって２つの画像の画調を合せる方法を述べたが、カメラ装置に設定されている撮影パラメータの値を一致させることによって、２機のカメラ装置１０，２０により撮影された各顔画像の画調を可及的に一致させるようにしてもよい。
【００６２】
すなわち、この方法は、撮影前に情報処理装置４０のＣＰＵが、２機のカメラ装置１０，２０の撮影パラメータの値を比較し、もし画調の違いをもたらすような差があるのであれば、少なくとも一方のカメラ装置の撮影パラメータの値を他方のカメラ装置の撮影パラメータの値に変更することによって実現される。あるいは、２機のカメラ装置１０，２０の撮影パラメータの値を各々の中間的な値に整合させてもよい。
【００６３】
以上のように、本実施形態の顔画像処理システム１では、下カメラ装置２０により撮影されたやや上向きのユーザＵの顔画像の目の部分の画像２０３を、上カメラ装置１０により撮影されたやや下向きのユーザＵの顔画像の目の部分の画像１０２と置換した合成画像１０４を得ることができる。このような顔画像は、顔全体の向きがやや下向きである中で、目の部分だけがやや上向きの顔画像となるので、顔全体がやや上を向いた画像に比べ、上目線が引き立ち、印象的な顔画像を得ることができる。
【００６４】
また、本実施形態の顔画像処理システム１では、上カメラ装置１０により撮影されたやや下向きのユーザＵの顔画像の目の部分の画像１０５を、下カメラ装置２０により撮影されたやや上向きのユーザＵの顔画像の目の部分の画像１０２と置換した合成画像２０６を得ることができる。このような顔画像は、顔全体の向きがやや上向きである中で、目の部分だけがやや下向きの顔画像となるので、顔全体がやや下を向いた画像に比べ、下目線が引き立ち、ユニークな顔画像を得ることができる。
【００６５】
＜第２の実施形態＞
次に、本技術に係る第２の実施形態の顔画像処理システム１Ａについて構成を説明する。
図４および図５は、内蔵カメラ２０Ａを備えた携帯型の情報処理装置である携帯端末４０Ａと、この携帯端末４０Ａに着脱自在に取り付けられるカメラ１０Ａとで構成される顔画像処理システム１Ａを示す斜視図である。携帯端末４０Ａに着脱自在に取り付けられるカメラ１０Ａを本明細書では「外付けカメラ１０Ａ」と呼ぶ。
なお、図４は携帯端末４０Ａに外付けカメラ１０Ａを装着する前の状態を示し、図５は外付けカメラ１０Ａを装着した状態を示す。
【００６６】
ここで、外付けカメラ１０Ａは上記の上カメラ装置１０として用いられ、内蔵カメラ２０Ａは上記の下カメラ装置２０として用いられる。
【００６７】
［携帯端末４０Ａの構成］
図４および図５に示すように、携帯端末４０Ａは、ユーザが片手で把持可能なサイズおよび形状の筐体４１を有する。筐体４１は、前面、裏面および４つの側面によって構成される板状の直方体形状を有する。筐体４１の前面４２には、例えば液晶パネル、有機ＥＬパネルなどで構成されるディスプレイの画面４３が配置されている。ディスプレイの画面４３の上には透明なタッチセンサーパネル（図示省略）が配置されている。タッチセンサーパネルは、例えば、静電容量方式などのタッチセンサーパネルで構成される。タッチセンサーパネルは、ユーザによりタッチされた位置に対応する信号を生成し、この信号から座標情報を生成してＣＰＵに供給する。
【００６８】
携帯端末４０Ａは、上述したようにカメラ２０Ａを内蔵する。以後、このカメラ２０Ａを本明細書において「内蔵カメラ２０Ａ」と呼ぶ。
【００６９】
筐体４１の前面４２には、光を内蔵カメラ２０Ａの撮像レンズ（図示せず）に取り込むための光透過部４４が設けられている。この内蔵カメラ２０Ａの撮像レンズを通して取り込まれた光はＣＭＯＳ（Complementary Metal Oxide Semiconductor）、ＣＣＤ（Charge Coupled Device）などの撮像素子にて電気的な信号に変換される。この電気的な信号はＡ／Ｄ変換器によって画素毎のデジタルデータに変換されてＲＡＷデータとなる。ＲＡＷデータは、信号処理回路によって、例えば、露出、ホワイトバランスなどが設定されたパラメータに従って調整され、現像処理を経て、画像データが生成される。
【００７０】
このように内蔵カメラ２０Ａによって得られた画像データは携帯端末４０Ａ内のＣＰＵおよび表示制御回路によって表示用のデータとされ、ディスプレイに供給されることによってディスプレイの画面４３に動画や静止画として表示される。ＣＰＵは、ユーザによって指示されたタイミングの画像データを静止画としてストレージやメディアなどに保存する。その際、例えばＪＰＥＧ（Joint Photographic Experts Group）などの特定の画像フォーマットに変換されてもよい。
【００７１】
次に、この携帯端末４０Ａの具体的なハードウェア構成を説明する。
図６は、この携帯端末４０Ａのハードウェア構成を示すブロック図である。この携帯端末４０Ａのハードウェア構成は、上記第１の実施形態の情報処理装置４０と同様である。
【００７２】
同図に示すように、携帯端末４０Ａは、ＣＰＵ（制御部）４０１、メインメモリ４０２、ストレージ４０３、内蔵カメラ（下カメラ装置）２０Ａ、ディスプレイ４０４、タッチセンサーパネル４０５、表示制御部４０６、タッチセンサー制御部４０７、姿勢センサー４０８、無線通信部４０９およびシステムバス４１０を備える。
【００７３】
ＣＰＵ４０１は、携帯端末４０Ａの各部の制御をしたり、メインメモリ４０２を作業空間として用いてアプリケーションプログラムを実行するための演算処理を実行したりするコントローラである。
【００７４】
メインメモリ４０２は、ＲＡＭ（Random Access Memory）などで構成される。メインメモリ４０２には、オペレーティングシステム、このオペレーティングシステム上で実行されるアプリケーションプログラムおよびこのアプリケーションプログラムの動作に必要な各種のデータが格納される。
【００７５】
ストレージ４０３は、例えば、フラッシュメモリなどの不揮発性メモリで構成される。ストレージ４０３には、メインメモリ４０２に呼び出されるオペレーティングシステム、各種のアプリケーションプログラム、画像、音声、ドキュメントなどの各種のデータのファイルが格納される。
【００７６】
内蔵カメラ２０Ａは、前述したように携帯端末４０Ａに内蔵されたカメラである。内蔵カメラ２０Ａは、カメラ用のアプリケーションプログラムに従ってＣＰＵ４０１によって制御される。ＣＰＵ４０１は、カメラ用のアプリケーションプログラムに従って、例えば、内蔵カメラ２０Ａの起動、撮影パラメータや解像度などの各種の撮影条件の設定、現像処理の制御、現像された画像データを表示制御部４０６に供給して動画や静止画をディスプレイ４０４に表示させる制御を行う。さらに、ＣＰＵ４０１は、カメラ用のアプリケーションプログラムに従って、目線補正のための画像合成を、内蔵カメラ２０Ａにより撮影された画像および外付けカメラ１０Ａによって撮影された画像を用いて行う。
【００７７】
ディスプレイ４０４は、例えば、液晶パネル、有機ＥＬ（electroluminescence）パネルなどによって構成され、携帯端末４０Ａの各種操作画面の表示、静止画および動画などの画像の表示、その他のドキュメントなどの各種のファイルの内容の表示したりする。
【００７８】
表示制御部４０６は、上記の各種の情報についてディスプレイ４０４の仕様に対応した表示用のデータを生成する。
【００７９】
タッチセンサーパネル４０５は、前述したようにディスプレイ４０４の画面においてユーザにより選択された位置の座標を検出するデバイスである。
【００８０】
タッチセンサー制御部４０７は、タッチセンサーパネル４０５を制御し、検出された位置に対応する座標データを生成してＣＰＵ４０１に供給する。
【００８１】
姿勢センサー４０８は、前述したように携帯端末４０Ａの姿勢を検知するためのセンサーである。姿勢センサー４０８は、例えば、３軸方向の加速度を検出する加速度センサーや、角速度を検出するジャイロセンサーなどにより構成される。
【００８２】
無線通信部４０９は、外部装置（例えば下カメラ装置２０）との間で、例えば、ＷｉＦｉ（登録商標）などの無線ＬＡＮ（Local Area Network）や、例えばＮＦＣ（Near field communication）やＢｌｕｅ Ｔｏｏｔｈ（登録商標）などの近距離無線通信などを行うためのインタフェースである。
【００８３】
システムバス４１０は、上記各ブロック間での各種の信号をやりとりするための伝送路である。
【００８４】
以上、携帯端末４０Ａの主なハードウェア構成について説明したが、その他の構成としては、例えば、ＷＷＡＮ（Wireless Wide Area Network）通信部、スピーカ、マイクロフォン、メモリカードリードライタ、バッテリおよびその制御回路、ＧＰＳ（Global Positioning System）受信部、地上デジタルテレビジョン受信部などが搭載されていてもよい。
【００８５】
［外付けカメラ１０Ａの構成］
図７および図８は外付けカメラ１０Ａの外観を示す斜視図である。
【００８６】
この外付けカメラ１０Ａは、カメラ本体１１とアダプター１２とで構成される。アダプター１２はカメラ本体１１および外部機器（例えば、携帯端末４０Ａ）の各々に対して着脱可能とされている。但し、カメラ本体１１とアダプター１２は一体化されたものであってもよい。
【００８７】
カメラ本体１１は、例えば円筒形の外筒部１３を有する。外筒部１３内には撮像レンズ、撮像素子、信号処理および画像処理のための回路、コントローラおよびメモリなどの制御用の回路、電源部、画像データ保存のためのストレージ、無線通信回路などが収容されている。
【００８８】
外筒部１３の前面側の先端部には、前後方向において移動可能とされた内筒部１４が支持されている。図８に示すように、この外付けカメラ１０Ａは、内筒部１４が外筒部１３に対して前方へ繰り出されて撮影状態とされ、前方へ繰り出されていた内筒部１４が後方へ繰り込まれて外筒部１３の内部に収納されることにより沈胴状態（図７）とされる。
【００８９】
内筒部１４の前面部には略矩形状の光透過孔１５が形成されている。内筒部８の前面部における後面側にはレンズバリアー９、９が開閉自在に支持されている。レンズバリアー９、９は図示しない開閉機構によって沈胴状態において閉じられ撮影状態において開かれる。従って、沈胴状態においてはレンズバリアー９、９によって内筒部８の光透過孔１５が閉塞され（図７参照）、撮影状態においてはレンズバリアー９、９によって光透過孔１５が開放される（図８参照）。
【００９０】
カメラ本体１１の内部には複数の撮影用のレンズ群が光軸方向に離隔して配置されており、レンズバリアー９、９によって光透過孔１５が開放されると撮影用のレンズ群に外部から光が入射される。撮影用のレンズ群を通過した光は撮像素子に入射し、画素毎の電気的な信号に変換される。画素毎の電気的な信号は、Ａ／Ｄ変換器にてデジタル信号とされ、現像処理を経て、画像データとされる。
【００９１】
外筒部７の前端部の周面には操作リング１６が回転自在に支持されている。操作リング１６が回動操作されることにより、マニュアルフォーカスやズームが行われレンズ群が光軸方向へ移動される。
【００９２】
外筒部７の外周面には、シャッターボタン１７、ズームスイッチ１８、その他の操作ボタン／スイッチが設けられている。
【００９３】
アダプター１２は、外部機器（例えば携帯端末４０Ａ）に掛止される一対の掛止部１９、１９を有する。一対の掛止部１９、１９は、アダプター１２に対して伸縮自在であり、かつ、任意の伸縮位置でロックすることができる。
【００９４】
一対の掛止部１９、１９は、アダプター１２に対して伸縮自在であることによって、この外付けカメラ１０Ａは、様々な形状およびサイズの外部機器の様々な部位に装着することができる。
【００９５】
［外付けカメラ１０Ａのハードウェア構成］
図９は外付けカメラ１０Ａのハードウェア構成を示すブロック図である。
【００９６】
同図に示すように、この外付けカメラ１０Ａは、コントローラ５０１、操作入力部５０２、撮像部５０３、信号処理部５０４、メカ駆動部５０５、電源部５０６、ストレージ５０７、無線通信部５０８およびシステムバス５０９を備える。
【００９７】
コントローラ５０１は、外付けカメラ１０Ａの各部を制御する。コントローラ５０１は、ＣＰＵとメモリを有する。メモリはメインメモリ４０２として用いられるＲＡＭと、電源のＯＮ／ＯＦＦ、撮像の開始、静止画の取り込み、および外部機器（例えば携帯端末４０Ａ）との通信制御などを実行するためのプログラムが格納されたＲＯＭを有する。
【００９８】
コントローラ５０１は、例えば、無線通信部５０８を用いて、近距離内に存在する外部機器（例えば携帯端末４０Ａ）を検出すると、電源部５０６に対して電源制御信号を出力し、外付けカメラ１０Ａ内の各部への電源の供給を開始させる。また、コントローラ５０１は、外付けカメラ１０Ａの各部への電源供給がオンであるとき、近距離内に外部機器（例えば携帯端末４０Ａ）が検出されなくなると、各部への電源供給をオフにするように電源部５０６に電源制御信号を供給する。これによりコントローラ５０１は機器検出の状態に戻る。
【００９９】
コントローラ５０１は、無線通信部５０８を用いて接続された外部機器（例えば携帯端末４０Ａ）からの、各種の指令を受け、その指令に応じた処理を行う。外部機器（例えば携帯端末４０Ａ）からの指示としては、例えば、撮影開始の指示、撮影中の動画からの静止画の切り出しと（例えば携帯端末４０Ａ）への無線伝送、さらにはズームアップ／ズームインなどがある。
【０１００】
操作入力部５０２は、ユーザからの操作入力を受け付け、操作信号をコントローラ５０１に出力する。
【０１０１】
撮像部５０３は、撮影レンズと、ＣＣＤ（Charge Coupled Device）またはＣＭＯＳ（Complementary Metal Oxide Semiconductor）などの撮像素子などで構成される。
【０１０２】
信号処理部５０４は、撮像部５０３の出力をデジタル信号に変換するＡ／Ｄ変換器と、Ａ／Ｄ変換器の出力であるＲＡＷデータに対して露光、ホワイトバランスなどの調整、現像処理などを行う。信号処理部５０４は、必要に応じて、例えばノイズ除去、色調補正、エッジ検出などを行う。
【０１０３】
ストレージ５０７は、撮影された画像データのファイルを保存するために用いられる。ストレージ５０７は、例えば、フラッシュメモリなどで構成される。
【０１０４】
メカ駆動部５０５は、フォーカス調整、ズーム変更のためにレンズ群を光軸方向に駆動するメカや、内筒部１４を進退させる機構、およびレンズバリアー９、９を開閉する機構などの各メカを駆動する回路である。
【０１０５】
電源部５０６は、バッテリと、バッテリから外付けカメラ１０Ａの各部を動作させるために必要な電力を生成し、各部に供給する。
【０１０６】
無線通信部５０８は、外部装置（例えば携帯端末４０Ａ）との間で、例えば、ＷｉＦｉ（登録商標）などの無線ＬＡＮ（Local Area Network）や、例えばＮＦＣ（Near field communication）やＢｌｕｅ Ｔｏｏｔｈ（登録商標）などの近距離無線通信などを行うためのインタフェースである。
【０１０７】
その他、カメラ装置は、ディスプレイ、スピーカ、ＧＰＳ受信部、姿勢センサー、メディアリードライタなどを備えたものであってよい。
【０１０８】
次に、この携帯端末４０Ａを利用するときの姿勢について説明する。
この携帯端末４０Ａの筐体４１の形状は直方体であり、１軸（Ｚ軸）の方向のサイズが特に小さいことによって薄型の直方体となっている。他の２軸（ＸＹ軸）の方向によって構成される二次元空間はディスプレイの画面４３を配置するために比較的広くなっている。筐体４１のＸ軸方向のサイズＬｘとＹ軸方向とのサイズＬｙとの関係はＬｘ＜Ｌｙである。ディスプレイの画面４３のＸ軸方向のサイズＤｘとＹ軸方向とのサイズＤｙの関係もＤｘ＜Ｄｙである。
【０１０９】
以降の説明において、Ｙ軸方向をユーザから見て縦にした携帯端末４０Ａの姿勢を「縦姿勢」、Ｘ軸方向をユーザから見て縦にした携帯端末４０Ａの姿勢を「横姿勢」と呼ぶことにする。また、縦姿勢には、ユーザから見て内蔵カメラ２０Ａの位置がディスプレイの画面４３よりも上側となる姿勢（第１の縦姿勢）と、下側となる姿勢（第２の縦姿勢）がある。同様に、横姿勢には、ユーザから見て内蔵カメラ２０Ａの位置がディスプレイの画面４３の右側となる姿勢（第１の横姿勢）と、左側となる姿勢（第２の横姿勢）がある。
【０１１０】
携帯端末４０Ａの上記の各姿勢は、内蔵された加速度センサーおよびジャイロセンサーなどによって検知され、例えば、ユーザから見た上下左右の向きとディスプレイの画面４３に表示される画像の上下左右の向きとが一致するように、表示データの向きが回転されるようになっている。
【０１１１】
［顔画像処理システム１Ａの動作］
携帯端末４０Ａに、外付けカメラ１０Ａをアダプター１２を介して装着することによって、携帯端末４０Ａと外付けカメラ１０Ａとの間での例えば近距離無線通信によって互いの機器が検出される。
【０１１２】
外付けカメラ１０Ａのコントローラ５０１は、携帯端末４０Ａを検出すると、電源部５０６に対して、外付けカメラ１０Ａの各部への電力の供給を指示する。これにより、カメラユニットは、撮影可能な状態となり、携帯端末４０Ａからの指令を待機する。
【０１１３】
一方、携帯端末４０ＡのＣＰＵ４０１は、外付けカメラ１０Ａを検出すると、カメラ用のアプリケーションプログラムを起動させる。携帯端末４０ＡのＣＰＵ４０１は、カメラ用のアプリケーションプログラムに従って、内蔵カメラ２０Ａを起動させて撮影を開始するように制御を行う。また、携帯端末４０ＡのＣＰＵ４０１は、無線通信により、外付けカメラ１０Ａに対して撮影開始を指示する。これにより、内蔵カメラ２０Ａと外付けカメラ１０Ａの各々において撮影が開始される。
【０１１４】
内蔵カメラ２０Ａが起動されると、この内蔵カメラ２０Ａによって撮影された画像が携帯端末４０Ａのディスプレイ４０４の画面４３に動画として表示される。
【０１１５】
ユーザは、自分の顔を撮影するために、ディスプレイ４０４の画面４３を見ながら、携帯端末４０Ａの内蔵カメラ２０Ａの視野に自分の顔が入るように携帯端末４０Ａの位置と向きを決める。内蔵カメラ２０Ａのシャッターボタンがユーザによって操作されると、携帯端末４０ＡのＣＰＵ４０１は、その時点で撮影された画像（静止画）を目線補正に用いる第１の顔画像としてメインメモリ４０２に保持する。
【０１１６】
また、携帯端末４０ＡのＣＰＵ４０１は、外付けカメラ１０Ａに対して、撮影中の動画からの静止画の切り出しとその静止画の伝送を無線通信によって要求する。カメラユニットのコントローラ５０１は、この要求を受けると、撮影中の動画から静止画を切り出し、この静止画を無線通信によって携帯端末４０Ａに伝送する。携帯端末４０ＡのＣＰＵ４０１は、外付けカメラ１０Ａから伝送された画像（静止画）を目線補正に用いる第２の顔画像としてメインメモリ４０２に保持する。
【０１１７】
この後、携帯端末４０ＡのＣＰＵ４０１は、メインメモリ４０２に保持された２つの顔画像から、上述した目線補正のための合成処理を実行し、その結果をディスプレイ４０４の画面４３に表示する。
なお、２つの顔画像の画調の整合については、本実施形態においても第１の実施形態と同様に行われる。
【０１１８】
図１０は、本実施形態の顔画像処理システム１Ａを用いてユーザが自分の顔を撮影する第１の形態を示す図である。
【０１１９】
この第１の撮影形態では、外付けカメラ１０ＡをユーザＵの顔を目線Ｅよりやや高い位置から撮影する上カメラ装置１０（図１参照）として用い、内蔵カメラ２０ＡをユーザＵの顔を目線Ｅよりやや低い位置から撮影する下カメラ装置２０（図１参照）として用いる場合を想定している。
【０１２０】
これは、カメラの画質の高低を左右するスペックが、携帯端末４０Ａの内蔵カメラ２０Ａに比較して外付けカメラ１０Ａの方が高い場合であって、かつ上目線画像を合成する場合に最適な形態である。すなわち、外付けカメラ１０Ａによって撮影された比較的高画質な画像が、目の部分以外の広い範囲の部分に使用されるからである。
【０１２１】
図１１は、本実施形態の顔画像処理システム１Ａを用いてユーザＵが自分の顔を撮影する第２の形態を示す図である。
【０１２２】
この第２の撮影形態では、第１の撮影形態とは逆に、外付けカメラ１０ＡをユーザＵの顔を目線Ｅよりやや低い位置から撮影する下カメラ装置２０（図１参照）として用い、内蔵カメラ２０ＡをユーザＵの顔を目線Ｅよりやや高い位置から撮影する上カメラ装置１０（図１参照）として用いる場合を想定したものである。
【０１２３】
携帯端末４０Ａは、姿勢センサー４０８によって筐体４１の上下の向きが検知されるため、携帯端末４０Ａの内蔵カメラ２０Ａおよび外付けカメラ１０Ａの各々において撮影された画像の上下の向きを回転させることによって、目線補正が施された合成画像を得ることができる。
【０１２４】
これは、カメラの画質の高低を左右するスペックが、外付けカメラ１０Ａに比較して携帯端末４０Ａの内蔵カメラ２０Ａの方が高い場合であって、かつ上目線画像を合成する場合に最適な形態である。
【０１２５】
＜変形例１＞
目線補正が施された画像合成後、携帯端末４０ＡのＣＰＵ４０１は、その合成画像と、合成される前の２つの顔画像、あるいは合成される前の２つの顔画像のうち一方とを、ディスプレイ４０４の画面に同時に表示させるようにしてもよい。
【０１２６】
携帯端末４０ＡのＣＰＵ４０１は、同時に表示された上記の各顔画像において、好みの顔画像をユーザに選択させ、選択された顔画像のみを保存するようにしてもよい。
【０１２７】
＜変形例２＞
以上の目線補正において、同時に、ユーザが指示する加工を合成された顔画像に施してもよい。例えば、目や瞳を大きくする加工、美肌加工などの画像編集内容、ユーザが目線補正のオプションとして選択できるようにすればよい。携帯端末４０ＡのＣＰＵ４０１は、選択された目線補正のオプションに従って、合成された顔画像に対して、上記の画像編集を実行する。
【０１２８】
＜変形例３＞
ネットワーク上のサーバ装置のＣＰＵにおいて目線補正を行うようにしてもよい。すなわち、情報処理装置からネットワークを通じてサーバ装置に、２つのカメラによって撮影された２つの顔画像が送信される。サーバ装置のＣＰＵは、受信した２つの顔画像に対して上記の目線補正を行い、合成画像を情報処理装置にネットワークを通じて返信するように構成される。
【０１２９】
＜変形例４＞
外付けカメラ１０Ａから携帯端末４０Ａに伝送される画像はＲＡＷデータであってもよい。携帯端末４０Ａ内で現像処理を行うことによって、現像処理部を備えていない外付けカメラを使用することが可能になる。
【０１３０】
＜変形例５＞
上記実施形態では、カメラ装置を２機使用したが、１機のカメラ装置をユーザの顔の縦方向に移動させ、上下の各位置にてユーザの顔を計２回撮影するように構成してもよい。したがって、本技術において、カメラの数は１または２である。
【０１３１】
＜変形例６＞
上記実施形態では、目線補正のための画像合成を情報処理装置４０あるいは携帯端末４０ＡのＣＰＵで行うものとしたが、複数の情報処理装置で構成される情報処理システムにて処理を分散して行うようにしてもよい。または、１以上の情報処理装置と、これとネットワークを通じて接続されたサーバ装置で構成される情報処理システムにて処理を分散して行ってもよい。あるいは、ネットワークを通じて接続された複数のサーバ装置で構成される情報処理システムにて処理を分散して行ってもよい。
【０１３２】
＜変形例７＞
以上では、静止画の目線補正について述べたが、本技術は、動画の目線補正にも同様に応用することができる。すなわち、例えば、フレーム単位あるいは１／Ｎフレームの単位で静止画に対する目線補正のための画像合成をすればよい。
【０１３３】
この場合、携帯端末４０Ａをユーザが手にもって２機のカメラの画角内に自分の顔が入るようにする。このため、手振れなどによって、時折、２機のカメラの画角内から顔が外れたり、部分的に収まらなかったりすることがある。
【０１３４】
変形例７では、２機のカメラの画角内から顔が外れたり、部分的に収まらなかったりして目線補正のための画像合成に失敗した場合、情報処理装置４０あるいは携帯端末４０ＡのＣＰＵ４０１が、最後に合成に成功した目線補正画像で、画像合成に失敗したフレームあるいは１／Ｎフレームを補間する。これにより、目線補正された動画が途切れることなく表示できる。
【０１３５】
＜変形例８＞
本技術は、３機以上のカメラが接続されている場合にも応用することができる。
例えば、図１２に示すように、携帯端末４０Ａの前方（ユーザＵ１の側）を視野とする２機のカメラ１０Ａ、２０Ａが縦方向の上下に配置され、それらと対称的に携帯端末４０Ａの後方を視野とする２機のカメラ１０Ｂ、２０Ｂが縦方向の上下に配置されたものなどが想定される。
【０１３６】
この場合、図１２に示すように、携帯端末４０Ａの前方（ユーザＵ１の側）を視野とする２機のカメラ１０Ａ、２０Ａは自分の目線補正画像を生成するための撮影に用いられる。携帯端末４０Ａの後方を視野とする２機のカメラ１０Ｂ、２０Ｂは、ユーザＵ１から携帯端末４０Ａの位置を挟んで反対側にいる人物Ｕ２の顔の目線補正画像を生成するための撮影に用いられる。
【０１３７】
携帯端末４０ＡのＣＰＵ４０１は、４機のカメラ１０Ａ、２０Ａ、１０Ｂ、２０Ｂによって各々撮影された画像から顔を検出し、同一人物の顔を含む画像ペアをもとに目線補正のための画像合成を行う。これにより、ユーザＵ１自身の目線補正された顔画像のみならず、他の人物Ｕ２の目線補正された顔画像を得ることができる。また、携帯端末４０Ａの後方を視野とする２機のカメラ１０Ｂ、２０Ｂによって撮影された画像のペアのみに同一人物（人Ｕ２）の顔が検出された場合には、その人物Ｕ２の目線補正された顔画像のみを合成して得ることができる。
【０１３８】
なお、本技術は以下のような構成もとることができる。
（１）異なる位置から撮影された人物の顔を含む２つの画像の、一方の前記画像における目の部分の画像に基づいて、他方の前記画像における目の部分の画像を変えた目線補正画像を生成する制御部を
具備する情報処理装置。
【０１３９】
（２）前記（１）に記載の情報処理装置であって、
前記制御部は、前記被写体である人物の顔の縦方向において異なる位置から第１の撮像部および第２の撮像部によって撮影された前記人物の顔を含む２つの画像を取得するように構成された
情報処理装置。
【０１４０】
（３）前記（２）に記載の情報処理装置であって、
前記制御部は、前記取得した２つの画像のうち、相対的に下の位置から撮影された一方の前記画像の目の部分画像を、前記相対的に上の位置から撮影された他方の画像の目の部分画像と置き換えた前記目線補正画像を生成するように構成された
情報処理装置。
【０１４１】
（４）前記（２）または（３）に記載の情報処理装置であって、
前記第１の撮像部は、前記被写体である人物の顔の縦方向において上側の撮像部であり、前記第２の撮像部は、前記被写体である人物の顔の縦方向において下側の撮像部であり、前記第１の撮像部は撮影画像の画質が前記第２の撮像部よりも高い
情報処理装置。
【０１４２】
（５）前記（１）ないし（４）のいずれかに記載の情報処理装置であって、
前記制御部は、前記取得した２つの画像の画調を合せるように、少なくとも一方の画像に対して信号処理を行わせるように構成された
情報処理装置。
【０１４３】
（６）前記（１）ないし（５）のいずれかに記載の情報処理装置であって、
前記制御部は、前記目線補正画像と、前記取得した２つの画像のうち少なくともいずれか一方を表示部に同時に表示させるように構成された
情報処理装置。
【０１４４】
（７）前記（２）ないし（６）のいずれかに記載の情報処理装置であって、
前記制御部は、前記取得した２つの画像の画調を合せるように、前記第１の撮像部および前記第２の撮像部の撮影パラメータを整合させるように構成された
情報処理装置。
【０１４５】
（８）前記（２）ないし（７）のいずれかに記載の情報処理装置であって、
前記第１の撮像部が、前記情報処理装置に内蔵され、
前記第２の撮像部が、前記情報処理装置に着脱自在に取れ付けられる別体の撮像部である
情報処理装置。
【０１４６】
（９）前記（１）ないし（８）のいずれかに記載の情報処理装置であって、
前記制御部は、前記生成された目線補正画像に対して編集を行うように構成された
情報処理装置。
【符号の説明】
【０１４７】
１…顔画像処理システム
１Ａ…顔画像処理システム
１０…上カメラ装置
１０Ａ…外付けカメラ
２０…下カメラ装置
２０Ａ…内蔵カメラ
４０…情報処理装置（情報処理システム）
４０Ａ…携帯端末
４０１…ＣＰＵ
４０４…ディスプレイ
４０９…無線通信部
５０１…コントローラ
５０３…撮像部
５０８…無線通信部
【図１】
2016019092.tif 000003
【図２】
2016019092.tif 000004
【図３】
2016019092.tif 000005
【図４】
2016019092.tif 000006
【図５】
2016019092.tif 000007
【図６】
2016019092.tif 000008
【図７】
2016019092.tif 000009
【図８】
2016019092.tif 000010
【図９】
2016019092.tif 000011
【図１０】
2016019092.tif 000012
【図１１】
2016019092.tif 000013
【図１２】
2016019092.tif 000014